(57)【要約】【課題】  表示部の結露を防止して良好な視界を維持することができる炊飯器を提供する。【解決手段】  本体１と、本体１の上部開口を覆い開閉自在に支持された外蓋２を備え、外蓋２には、本体１に収納された内鍋３の上部開口を塞ぐ内蓋４と、内蓋４を加熱する蓋加熱手段８と、蓋加熱手段８を制御する制御手段１１と、制御手段１１の設定や炊飯の進行状況を表示する液晶表示板１１ａとを収納する制御手段収納部２ｃと、該制御手段収納部２ｃに設けた固定部１５に乾燥剤１４とを設け、前記固定部１５の熱伝導路の熱抵抗を高くした構造を備えたものである。【選択図】図５
2018094108.tif 000002
【特許請求の範囲】
【請求項１】
本体と、
該本体の上部開口を覆い開閉自在に支持された外蓋とを備え、
該外蓋には、
前記本体に収納された内鍋の上部開口を塞ぐ内蓋と、
該内蓋を加熱する蓋加熱手段と、
該蓋加熱手段を制御する制御手段と、該制御手段の設定や炊飯の進行状況を表示する液晶表示板とを収納する制御手段収納部と、
該制御手段収納部に設けた固定部に乾燥剤とを設け、
前記固定部の熱伝導路の熱抵抗を高くした構造を備えたことを特徴とする炊飯器。
【発明の詳細な説明】
【技術分野】
【０００１】
本発明は、表示部の結露を防止する炊飯器に関するものである。
【背景技術】
【０００２】
従来のこの種の炊飯器として、特許文献１は、外蓋に凹部を配設し凹部内に外蓋外方より操作基板及び吸湿剤を組み込み、前記凹部内を密閉空間とすべく外方から覆う操作板を備えることにより、操作基板内の湿気は吸湿剤にて吸収され、表示部内面側の結露を防止する構成である。
【先行技術文献】
【特許文献】
【０００３】
【特許文献１】特開２０００−２０１８１２号公報
【発明の概要】
【発明が解決しようとする課題】
【０００４】
上記した特許文献１において、常温では表示部内面側に設けた吸湿剤により湿気を吸湿し乾燥状態を保てるが、吸湿剤の種類には温度上昇に伴って吸湿した湿気を放出する特性を備えるものもある。そのため、炊飯時に吸湿剤の近傍に備えたヒータが発熱し、熱伝導によって吸湿剤の温度が上昇すると表示部の内面側に結露する課題が考えられる。
【課題を解決するための手段】
【０００５】
本発明は、上記の課題を解決するためになされたものであり、本体と、該本体の上部開口を覆い開閉自在に支持された外蓋とを備え、該外蓋には、前記本体に収納された内鍋の上部開口を塞ぐ内蓋と、該内蓋を加熱する蓋加熱手段と、該蓋加熱手段を制御する制御手段と、該制御手段の設定や炊飯の進行状況を表示する液晶表示板とを収納する制御手段収納部と、該制御手段収納部に設けた固定部に乾燥剤とを設け、前記固定部の熱伝導路の熱抵抗を高くした構造を備えたものである。
【発明の効果】
【０００６】
本発明によれば、乾燥剤の種類に影響を受ける事無く、表示部の結露を防止して良好な視界を維持することができる。
【図面の簡単な説明】
【０００７】
【図１】一実施例の炊飯器の全体斜視図である。
【図２】同炊飯器の図１のＡ−Ａ側面断面図である。
【図３】同炊飯器の外蓋の骨格を構成する蓋体と主要部品の断面図である。
【図４】同炊飯器の蓋体の斜視図である。
【図５】図４の蓋体のＢ−Ｂ断面図で乾燥剤を固定する固定部に横リブを設けた説明図である。
【図６】図４の蓋体のＢ−Ｂ断面図で乾燥剤を固定する固定部にボスを設けた説明図である。
【図７】図４の蓋体のＣ−Ｃ断面図で乾燥剤を固定する固定部に縦リブを設けた説明図である。
【発明を実施するための形態】
【０００８】
以下、本発明の一実施例について上記図面を用いて詳細に説明する。
【０００９】
１は炊飯器の本体である。
【００１０】
本体１の外蓋２の上面には、各種メニューの操作を行うための操作部３１を設けている。また外蓋２上面には、時刻表示や炊飯の進行状況、各種メニューの設定などを表示する表示部３２を有し、操作部３１と連動し、炊飯の開始や各種メニューやタイマー炊飯の設定などを行うことができる。
【００１１】
本体１には上部開口を覆う外蓋２が開閉自在に支持され、外蓋２には本体１から着脱自在に収納される内鍋３の上部開口を塞ぐ内蓋４が設けられている。
【００１２】
内蓋４の上部には蓋加熱手段８が設けられ、外蓋２に取り付けられた内蓋４を均等に加熱するように設けられている。
【００１３】
内蓋４には内鍋３内からの蒸気を外部に排出する内蓋蒸気通路５を有した制限手段７を設け、この制限手段７から通り抜けた蒸気は、外蓋２に設けられた外蓋蒸気通路６を経て排気口３３から外部に放出される。
【００１４】
蓋体クミ部２ａの上部前面部は、透明窓部９を有したパネル１０が設けられ、パネル１０と外蓋２の骨格と成す蓋体２ｂの内部空間２ｄには、炊飯工程などを制御するマイコン等を搭載した制御手段１１や、前記表示部３２から透明窓部９を通して見ることが可能な液晶表示板１１ａなどが設けられている。
【００１５】
蓋体２ｂの前面部には、制御手段１１や液晶表示板１１ａなどを収納する制御手段収納部２ｃを設けている。前述した蓋加熱手段８はこの制御手段収納部２ｃの下方に設けられている。
【００１６】
ここで内部空間２ｄは、パネル１０に張り付けられたシール（図示せず）により密閉状態することで、本体１外部の空気中の湿気が混入することはない。
【００１７】
よって、透明窓部９が結露してしまう内部空間２ｄ内に有する湿気は、製造工程時に空気上に含まれる湿気が閉じ込められたものである。
【００１８】
本実施例で使用する乾燥剤１４は、常温状態（約２０℃）では内部空間２ｄ内の湿気を吸収するが、乾燥剤１４は昇温するとともに吸収した水分を放湿する特性をもっている。
【００１９】
このため、乾燥剤１４の温度が昇温しないような構成、特に蓋加熱手段８や内鍋３等からの熱を受けにくい構成とする必要がある。
【００２０】
以下、本発明の実施形態の構成について説明する。
【００２１】
図５は蓋体２ｂの制御手段収納部２ｃに乾燥剤１４を固定する固定部１５に横リブを設けたものである。
【００２２】
蓋体２ｂと乾燥剤１４の固定部１５には横に長い横リブ１６を設け、乾燥剤１４を横リブ１６で支持することにより、乾燥剤１４は蓋体２ｂから伝わる熱伝導路の熱抵抗を高くして熱の伝わりを悪くした状態で取り付けている。
【００２３】
図６は蓋体２ｂの制御手段収納部２ｃに乾燥剤を固定する固定部１５にボスを設けたものである。
【００２４】
蓋体２ｂと乾燥剤１４の固定部１５には上部に伸びるボス１７を設け、乾燥剤１４を点で支持することにより、乾燥剤１４は蓋体２ｂから伝わる熱伝導路の熱抵抗を高くして熱の伝わりを悪くした状態で取り付けている。
【００２５】
図７は蓋体２ｂの制御手段収納部２ｃに乾燥剤を固定する固定部１５に縦リブを設けたものである。
【００２６】
蓋体２ｂと乾燥剤１４の固定部１５には縦に長い横リブ１６を設け、乾燥剤１４を縦リブ１８で支持することにより、乾燥剤１４は蓋体２ｂから伝わる熱伝導路の熱抵抗を高くして熱の伝わりを悪くした状態で取り付けている。
【００２７】
以上の本発明の構成において、その動作を説明する。
【００２８】
使用者が内鍋３に適量の米と水を入れ、外蓋２を閉めると、内鍋３の上部を内蓋４が塞ぎ、密閉した空間となる。使用者が操作をすると、炊飯が開始され内鍋３が加熱される。
【００２９】
やがて、内鍋３内が沸騰すると、蒸気が発生して圧力が高まり、タンク蒸気通路１２から蒸気が侵入し、蒸気は内蓋蒸気通路５、制限手段７、外蓋蒸気通路６を経て排気口３３から外部に放出される。
【００３０】
炊飯終了後は自動で蒸らし動作に移行し、蓋加熱手段８が動作して、炊き上がったご飯の表面を加熱して余分な水分を飛ばした後に保温に移行する。
【００３１】
その際に、炊飯や蒸らし時の熱は外蓋２にも伝わり蓋体２ｂの温度も上昇する。
【００３２】
しかし、乾燥材１４を固定する固定部１５には、熱抵抗を高くした構成、例えば蓋体２ｂに横リブ１６、ボス１７、または縦リブ１８を設け、乾燥剤１４に蓋体２ｂの熱が伝わり難くしている。そのため乾燥剤１４の温度上昇は抑えられ、乾燥剤１４から湿気の放湿が抑制され、透明窓部９を有するパネル１０内部の結露を起こすことは無く、良好な視界を維持することができる。
【符号の説明】
【００３３】
１  本体
２  外蓋
２ｂ  蓋体
２ｃ  制御手段収納部
２ｄ  内部空間
３  内鍋
４  内蓋
７  制限手段
８  蓋加熱手段
９  透明窓部  
１０  パネル
１１  制御手段
１１ａ  液晶表示板
１４  乾燥剤
１５  固定部
１６  横リブ
１７  ボス
１８  縦リブ
【図１】
2018094108.tif 000003
【図２】
2018094108.tif 000004
【図３】
2018094108.tif 000005
【図４】
2018094108.tif 000006
【図５】
2018094108.tif 000007
【図６】
2018094108.tif 000008
【図７】
2018094108.tif 000009